(57)【要約】【課題】  加圧や加熱を必要とせずに、混合ガス中の特定成分を分離することのできる機能を有する燃料電池システムを提供する。【解決手段】  燃料電池システム１は、炭化水素系化合物から水素を含む改質ガスを生成する改質器４と、一酸化炭素に対する親和性が高い分離担体を有し、改質ガス中の一酸化炭素と他の成分との移動速度の差を利用して、改質ガスから一酸化炭素を分離する分離装置５と、分離装置５で一酸化炭素が分離されたガスと、酸素とを供給されて起電力を生じる燃料電池２とを有する。【選択図】      図１
2007042371.tif 000002
【特許請求の範囲】
【請求項１】
水素と酸素の電極反応によって起電力を生じる燃料電池と、
前記電極反応に関与しない所定のガスに対して高い親和性を有する分離担体を備え、水素と前記所定のガスを含む混合ガスから、前記所定のガスと他の成分との移動速度の差を利用して前記所定のガスを分離する分離装置とを有することを特徴とする燃料電池システム。
【請求項２】
炭化水素系化合物から水素を含む改質ガスを生成する改質器と、
一酸化炭素に対する親和性が高い分離担体を有し、前記改質ガス中の一酸化炭素と他の成分との移動速度の差を利用して、前記改質ガスから一酸化炭素を分離する分離装置と、
前記分離装置で一酸化炭素が分離されたガスと、酸素とを供給されて起電力を生じる燃料電池とを有することを特徴とする燃料電池システム。
【請求項３】
前記分離装置は、前記分離担体が設けられた分離部と、
前記分離部を通過するガスを、前記改質ガスと、前記分離部から一酸化炭素を掃気する掃気ガスとの何れか一方に切り替えるガス切替部と、
一酸化炭素が前記分離部に滞留する時間内に、前記分離部を通過するガスが前記改質ガスから前記掃気ガスへ切り替わるように前記ガス切替部を制御する制御部とを有する請求項２に記載の燃料電池システム。
【請求項４】
前記分離装置は、前記分離担体が設けられた分離部と、
前記分離部を貫通し、前記改質ガスと、前記分離部から一酸化炭素を掃気する掃気ガスとの何れか一方が前記分離担体を通過するように設けられた第１の流路と、
前記第１の流路に並行して前記分離部を貫通し、前記改質ガスおよび前記掃気ガスの何れか一方であって、前記第１の流路を通過するガスとは異なるガスが前記分離担体を通過するように設けられた第２の流路と、
前記分離部を回転させる駆動部と、
一酸化炭素が前記分離部に滞留する時間内に、前記第１の流路を通過するガスと、前記第２の流路を通過するガスとが入れ替わるように前記駆動部を制御する制御部とを有する請求項２に記載の燃料電池システム。
【請求項５】
前記改質ガスの流れる方向と、前記掃気ガスの流れる方向とが互いに逆向きである請求項３または４に記載の燃料電池システム。
【請求項６】
水素と酸素を供給されて起電力を生じる燃料電池と、
前記燃料電池のカソードから排出されたカソードオフガスを該カソードに循環させる循環装置と、
酸素に対する親和性が高い分離担体を有し、空気中の酸素と他の成分との移動速度の差を利用して空気から酸素を分離するとともに、該酸素を前記カソードオフガスに供給する酸素分離供給装置と、
前記酸素分離装置に空気を供給する空気供給装置とを有することを特徴とする燃料電池システム。
【請求項７】
前記酸素分離供給装置は、前記分離担体が設けられた分離部と、
前記分離部を通過するガスを、空気および前記カソードオフガスの何れか一方に切り替えるガス切替部と、
酸素が前記分離部に滞留する時間内に、前記分離部を通過するガスが空気から前記カソードオフガスへ切り替わるよう前記ガス切替部を制御する制御部とを有する請求項６に記載の燃料電池システム。
【請求項８】
前記分離装置は、前記分離担体が設けられた分離部と、
前記分離部を貫通し、空気および前記カソードオフガスの何れか一方が前記分離担体を通過するように設けられた第１の流路と、
前記第１の流路に並行して前記分離部を貫通し、空気および前記カソードオフガスの何れか一方であって、前記第１の流路を通過するガスとは異なるガスが前記分離担体を通過するように設けられた第２の流路と、
前記分離部を回転させる駆動部と、
酸素が前記分離部に滞留する時間内に、前記第１の流路を通過するガスと、前記第２の流路を通過するガスとが入れ替わるように前記駆動部を制御する制御部とを有する請求項６に記載の燃料電池システム。
【請求項９】
空気の流れる方向と、前記カソードオフガスの流れる方向とが互いに逆向きである請求項７または８に記載の燃料電池システム。
【発明の詳細な説明】
【技術分野】
【０００１】
本発明は、燃料電池システムに関し、特に、混合ガスから特定の成分を分離する機能を備えた燃料電池システムに関する。
【背景技術】
【０００２】
燃料電池は、アノードとカソードが、電解質膜を挟んでそれぞれ配置された構造を有している。そして、アノードに水素（燃料ガス）が接触し、カソードに酸素（酸化ガス）が接触することによって、両電極間で電気化学反応が起こり起電力を生じる。
【０００３】
アノードに供給する水素源として、炭化水素系化合物の改質反応によって生成する改質ガスを利用することがある。この場合、炭化水素系化合物としては、メタンを主成分とする天然ガス、メタノールなどのアルコールまたはガソリンなどが用いられる。そして、使用する炭化水素系化合物の種類に応じて、改質反応に適した触媒や温度が選択される。これにより、水素、二酸化炭素および水を含む水素リッチな改質ガスが生成される。
【０００４】
しかし、上記の改質反応では、反応後の改質ガス中に中間生成物である一酸化炭素が含まれる。一酸化炭素は、燃料電池内の触媒の性能を低下させるので、改質ガス中から一酸化炭素を分離除去する処理が必要となる。このように、燃料電池においては、アノードへ供給するガス中から所定の成分を分離除去する処理が必要となる場合がある。
【０００５】
一方、カソードに供給する酸素は、コンプレッサを用いて外気から取り込んだ空気によって調達される。ここで、燃料電池では、アノード側からのＨ＋（プロトン）の移動を容易にするために、電解質膜に適当量の水分の供給が必要とされる。このため、水分を含んだカソードオフガスを燃料電池内で循環させることによって、カソードに供給する空気を加湿することが行われている（例えば、特許文献１および２参照。）。また、冷却したカソードオフガスを循環させることによって、スタックを冷却することも行われている（例えば、特許文献３参照。）。
【０００６】
しかし、カソードオフガスを循環させると、次第に窒素濃度が高くなっていくのに伴って酸素濃度は低下するようになる。酸素濃度が低下すると、燃料電池の発電効率が低下することから、カソードへ供給する空気中の酸素濃度を高める処理が必要となる。
【０００７】
混合ガスから特定のガスを分離する技術としては、従来より、圧力変動式ガス吸着法（ＰＳＡ法）によるものが提案されている（例えば、特許文献４参照。）。しかし、この方法では、担体に気体成分を吸着（脱着）させる際に加圧（減圧）する操作が必要となる。
【０００８】
また、分離膜を利用することによって、混合ガス中の特定成分を分離する方法も考えられる。しかし、この方法においても、分離膜に特定の気体のみを透過させるためには加圧が必要となる。
【０００９】
これに対して、隔壁によって多数個の吸着室に仕切られた横断面を有し、各吸着室の端部が両端で開口するとともに、各吸着室に炭酸ガスを吸着する吸着剤を設けた処理ドラムを軸心周りに回転させることによって、炭酸ガスを分離する方法が開示されている（特許文献５参照。）。この方法によれば、処理ドラムの一方の端面から炭酸ガスを含む混合ガスを供給して吸着剤に炭酸ガスを吸着させた後、処理ドラムの他方の面から高温の原料ガスを供給することによって炭酸ガスを脱着するので、圧力を変化させることなしに炭酸ガスの吸着および脱着が可能であるとされる。
【００１０】
また、ゼオライトやシリカゲルを吸着剤として用いた円筒型吸着素子に改質ガスを通すことによって、改質ガス中の一酸化炭素を連続的に除去し、酸素富化空気を燃料電池に供給する方法も開示されている（特許文献６参照。）。この方法によれば、従来必要としていた吸着剤の高温での加熱を不要とすることができるとされる。
【００１１】
【特許文献１】特表平８−５００９３１号公報
【特許文献２】特開平９−２６６００２号公報
【特許文献３】特開平９−３１２１６４号公報
【特許文献４】特開昭６３−０５１９１９号公報
【特許文献５】特開平４−３１０２１０号公報
【特許文献６】特開２００１−７０７３６２号公報
【発明の開示】
【発明が解決しようとする課題】
【００１２】
しかし、特許文献５に記載の方法では、炭酸ガスの脱着は、炭酸ガスが高温（１００℃以上）の原料ガスに触れることによって行われる。このため、パージガスの加熱が必要になるという問題があった。
【００１３】
また、特許文献６に記載の方法でも、一酸化炭素の脱着には、パージガスを２５０℃程度に加熱することが必要であった。
【００１４】
したがって、上記の何れの従来法においても、分離の際に圧力や温度を変化させる操作を要することから、装置の複雑化を招き、また、大きな駆動動力（エネルギー）を必要とするという問題があった。
【００１５】
本発明は、こうした問題点に鑑みてなされたものである。すなわち、本発明の目的は、加圧や加熱を必要とせずに、混合ガス中の特定成分を分離することのできる機能を有する燃料電池システムを提供することにある。
【００１６】
本発明の他の目的および利点は以下の記載から明らかとなるであろう。
【課題を解決するための手段】
【００１７】
本発明の第１の燃料電池システムは、水素と酸素の電極反応によって起電力を生じる燃料電池と、電極反応に関与しない所定のガスに対して高い親和性を有する分離担体を備え、水素と所定のガスを含む混合ガスから、所定のガスと他の成分との移動速度の差を利用して所定のガスを分離する分離装置とを有することを特徴とするものである。
【００１８】
本発明の第２の燃料電池システムは、炭化水素系化合物から水素を含む改質ガスを生成する改質器と、一酸化炭素に対する親和性が高い分離担体を有し、改質ガス中の一酸化炭素と他の成分との移動速度の差を利用して、改質ガスから一酸化炭素を分離する分離装置と、分離装置で一酸化炭素が分離されたガスと、酸素とを供給されて起電力を生じる燃料電池とを有することを特徴とするものである。
【００１９】
本発明の第２の燃料電池システムにおいて、分離装置は、分離担体が設けられた分離部と、この分離部を通過するガスを、改質ガスと、分離部から一酸化炭素を掃気する掃気ガスとの何れか一方に切り替えるガス切替部と、一酸化炭素が分離部に滞留する時間内に、分離部を通過するガスが改質ガスから掃気ガスへ切り替わるようにガス切替部を制御する制御部とを有するものとすることができる。この場合、改質ガスの流れる方向と、掃気ガスの流れる方向とが互いに逆向きとなるようにすることが好ましい。
【００２０】
また、本発明の第２の燃料電池システムにおいて、分離装置は、分離担体が設けられた分離部と、この分離部を貫通し、改質ガスと、分離部から一酸化炭素を掃気する掃気ガスとの何れか一方が分離担体を通過するように設けられた第１の流路と、この第１の流路に並行して分離部を貫通し、改質ガスおよび掃気ガスの何れか一方であって、第１の流路を通過するガスとは異なるガスが分離担体を通過するように設けられた第２の流路と、分離部を回転させる駆動部と、一酸化炭素が分離部に滞留する時間内に、第１の流路を通過するガスと、第２の流路を通過するガスとが入れ替わるように駆動部を制御する制御部とを有するものとすることもできる。この場合、改質ガスの流れる方向と、掃気ガスの流れる方向とが互いに逆向きとなるようにすることが好ましい。
【００２１】
本発明の第３の燃料電池システムは、水素と酸素を供給されて起電力を生じる燃料電池と、この燃料電池のカソードから排出されたカソードオフガスをカソードに循環させる循環装置と、酸素に対する親和性が高い分離担体を有し、空気中の酸素と他の成分との移動速度の差を利用して空気から酸素を分離するとともに、この酸素をカソードオフガスに供給する酸素分離供給装置と、この酸素分離装置に空気を供給する空気供給装置とを有することを特徴とするものである。
【００２２】
本発明の第３の燃料電池システムにおいて、酸素分離供給装置は、分離担体が設けられた分離部と、この分離部を通過するガスを、空気およびカソードオフガスの何れか一方に切り替えるガス切替部と、酸素が分離部に滞留する時間内に、分離部を通過するガスが空気からカソードオフガスへ切り替わるようガス切替部を制御する制御部とを有するものとすることができる。この場合、空気の流れる方向と、カソードオフガスの流れる方向とが互いに逆向きとなるようにすることが好ましい。
【００２３】
また、本発明の第３の燃料電池システムにおいて、分離装置は、分離担体が設けられた分離部と、この分離部を貫通し、空気およびカソードオフガスの何れか一方が分離担体を通過するように設けられた第１の流路と、この第１の流路に並行して分離部を貫通し、空気およびカソードオフガスの何れか一方であって、第１の流路を通過するガスとは異なるガスが分離担体を通過するように設けられた第２の流路と、分離部を回転させる駆動部と、酸素が分離部に滞留する時間内に、第１の流路を通過するガスと、第２の流路を通過するガスとが入れ替わるように駆動部を制御する制御部とを有するものとすることもできる。この場合、空気の流れる方向と、カソードオフガスの流れる方向とが互いに逆向きとなるようにすることが好ましい。
【発明の効果】
【００２４】
本発明の第１の燃料電池システムによれば、加圧や加熱をせずに、電極反応に関与しない所定のガスを除くことができるので、燃料電池システムに大きな駆動動力を設ける必要がなく、比較的簡単な構成の燃料電池システムとすることができる。
【００２５】
本発明の第２の燃料電池システムによれば、加圧や加熱をせずに、改質ガスから一酸化炭素を分離除去することができるので、燃料電池システムに大きな駆動動力を設ける必要がなく、比較的簡単な構成の燃料電池システムとすることができる。
【００２６】
本発明の第３の燃料電池システムによれば、加圧や加熱をせずに、空気中の酸素を分離してカソードオフガスに供給することが可能であるので、燃料電池システムに大きな駆動動力を設ける必要がなく、比較的簡単な構成の燃料電池システムとすることができる。
【発明を実施するための最良の形態】
【００２７】
実施の形態１．
図１は、本実施の形態における燃料電池システムの構成図の一例である。尚、この燃料電池システムは本発明の第１の燃料電池システムに対応し、車載用および据え置き型などの種々の用途に適用可能である。
【００２８】
図１に示すように、燃料電池システム１は、水素と酸素を供給されて起電力を生じる燃料電池２と、炭化水素系化合物を貯蔵する炭化水素系化合物貯蔵タンク３と、炭化水素系化合物を水素に改質する改質器４と、改質器４で生成した改質ガスから一酸化炭素を分離する分離装置５と、分離装置５で分離された一酸化炭素を分離装置５から掃気するガスを貯蔵する掃気ガス貯蔵タンク６と、燃料電池２のアノードに送るガスの圧力を調整する第１の調圧弁１７と、燃料電池２に圧縮空気を供給するコンプレッサ７と、燃料電池２から排出されたカソードオフガスに含まれる水分を回収して、燃料電池２に供給する空気を加湿する加湿器１６と、コンプレッサ７から送られる空気の圧力を調整する第２の調圧弁８とを有する。
【００２９】
燃料電池２は、水素と酸素の電気化学反応によって発電するセル（図示せず）が積層された構造を有している。ここで、各セルは、電解質膜を挟んでアノードとカソードが配置された構造となっている。
【００３０】
改質器４で改質される炭化水素系化合物としては、メタンを主成分とする天然ガス、メタノールなどのアルコールまたはガソリンなどが挙げられる。使用する炭化水素系化合物の種類に応じて、改質反応に適した触媒や温度を選択することによって、水素、二酸化炭素および水を含む水素リッチな改質ガスを生成することができる。
【００３１】
本実施の形態においては、改質器４で生成した改質ガスを分離装置５に通した後に燃料電池２のアノードに供給することを特徴としている。以下、分離装置によって改質ガス中の一酸化炭素を分離除去する方法について説明する。
【００３２】
分離装置は、一酸化炭素に対する親和性の高い分離担体を有し、改質ガス中の一酸化炭素と他の成分との移動速度の差を利用して、改質ガスから一酸化炭素を分離する装置である。図２に、分離装置の構成図を示す。図の分離装置５は、分離担体が設けられた分離部５１と、分離部５１に接続する流路５２，５３と、流路５２，５３に設けられたバルブ５４，５５と、所定のタイミングでバルブ５４，５５の開閉を制御するバルブ開閉制御部５６とを有する。
【００３３】
バルブ５４，５５は、分離部５１を通過するガスを、改質ガスと、後述する掃気ガスとの何れか一方に切り替えるガス切替部である。一方、バルブ開閉制御部５６は、一酸化炭素が分離部５１に滞留する時間内に、分離部５１を通過するガスが、改質ガスから掃気ガスへ切り替わるようにガス切替部を制御する。
【００３４】
分離担体は、一酸化炭素に対して強い物理的または化学的親和性を有する基が表面に配された構造を有する。分離部５１には、例えば、分離担体としてのポルフィリン系化合物（例えば、ヘモグロビンおよびヘモシアニンなどの高分子化合物）を担持した粒子を、セラミックまたは金属メッシュなどの表面に設けたフィルタなどを用いることができる。
【００３５】
流路９から分離装置５に改質ガスを通すと、一酸化炭素に対する分離担体の強い親和性によって、一酸化炭素と他の成分との間で分離装置５内を移動する速度に差が生じる。すなわち、一酸化炭素は分離装置５内をゆっくりと移動するのに対して、他の成分はすばやく移動するので、改質ガスの流入開始から所定時間までは、一酸化炭素以外の成分を含むガスが分離装置５から排出されることになる。これにより、圧力や温度を変えることなしに、改質ガス中の一酸化炭素を分離することが可能となる。
【００３６】
改質ガスを導入する時間は、一酸化炭素が分離部５１に滞留する時間を超えないようにする。すなわち、改質ガスの導入時間が一酸化炭素の滞留時間を超えると、一酸化炭素が分離装置５から排出されてしてしまうので、この値を超えないように改質ガスの流量および流速を設定する。
【００３７】
次いで、分離装置５から一酸化炭素が排出される前に、分離装置５内に滞留する一酸化炭素を掃気する処理を行う。具体的には、図２のバルブ開閉制御部５６によってバルブ５４，５５の開閉を操作し、分離装置５を透過するガスを改質ガスから掃気ガスに切り替える。ここで、掃気ガスは、分離装置内の一酸化炭素を掃気するガスであって、一酸化炭素を含まないガスである。例えば、窒素ガスなどが掃気ガスとして用いられる。尚、掃気ガスの流量および流速は、分離装置５から一酸化炭素を十分に掃気できる値に設定する。
【００３８】
本実施の形態においては、図２に示すように、バルブ５４，５５を操作することによって、分離部５１を通るガスの流れが逆転するようにすることが好ましい。これにより、一酸化炭素が流路１０に流出するおそれを小さくして、より効果的に一酸化炭素を掃気することができる。具体的には、流路１１より分離装置５に流入した掃気ガスは、流路５３を経て分離部５１に進入する。そして、分離部５１内に滞留する一酸化炭素とともに、流路５２から流路１２を経て排出される。
【００３９】
分離装置５から一酸化炭素を掃気した後は、再びバルブ開閉制御部５６を操作することによって、分離装置５を通るガスを掃気ガスから改質ガスに切り替える。尚、バルブ開閉制御部５６を操作するタイミングは、改質ガスの流量および流速、分離担体の種類、並びに、掃気ガスの流量および流速などに応じて適宜設定することが好ましい。より詳しくは、分離担体に一酸化炭素が吸着固定される前にバルブ開閉制御部５６を操作し、掃気ガスを分離装置５内に通じることによって一酸化炭素を掃気する。このようにすることによって、高温の掃気ガスを用いなくとも分離装置５から一酸化炭素を排出することが可能となる。
【００４０】
分離装置５から排出された水素リッチなガスは、燃料電池２のアノードに送られる。ここで、燃料電池２に供給するガスの圧力は、第１の調圧弁１７によって調整される。そして、アノードでの電気化学反応によって所定量の水素が消費された後、残りのガス（アノードオフガス）は、排出バルブ１３を開くことにより、流路１４から希釈器１５を経由して排出される。
【００４１】
一方、燃料電池２のカソードには、コンプレッサ７で加圧された空気が供給される。そして、燃料電池２内での電気化学反応によって、空気中から所定量の酸素が消費された後、残りのガスがカソードオフガスとして排出される。
【００４２】
加湿器１６は、燃料電池２から排出されたカソードオフガス中の水分を回収するとともに、燃料電池２に供給される空気を加湿する役割を果たしている。これにより、燃料電池２内の電解質膜の含水状態を適切に管理して、電解質膜を正常に機能させることが可能となる。但し、本発明においては、加湿器以外の手段によってカソードに送る空気を加湿してもよい。例えば、改質器４で生成した水を利用することによって、カソードに供給する空気を加湿することもできる。
【００４３】
加湿器１６から排出されたカソードオフガスは、第２の調圧弁８より排出される。
【００４４】
本実施の形態によれば、改質ガスを分離装置に通すことによって、燃料電池のアノードに供給するガス中の一酸化炭素濃度を最小限に低くすることが可能となる。したがって、燃料電池内の触媒の性能が一酸化炭素によって低下するのを防ぐことができる。また、本実施の形態の分離装置によれば、加圧や加熱をせずに一酸化炭素の分離除去が可能であるので、燃料電池システムに大きな駆動動力を設ける必要がなく、比較的簡単な構成の燃料電池システムとすることができる。
【００４５】
実施の形態２．
本実施の形態は、改質器で生成した改質ガスを分離装置に通した後に燃料電池のアノードに供給する点で実施の形態１と共通する。しかし、本実施の形態は、実施の形態１とは異なる分離装置を用いる点に特徴がある。
【００４６】
図３は、本実施の形態における分離装置の構成図である。尚、本実施の形態における燃料電池システムの構成図は、図１の分離装置５を図３の分離装置２５に置き換えたものに対応する。
【００４７】
図３に示すように、分離装置２５は、分離担体が設けられて回転可能な分離部２５１と、分離部２５１に接続する流路２５２，２５３，２５４，２５５と、分離部２５１を回転させるとともに、その回転を制御する分離部回転制御部２５６とを有する。
【００４８】
流路２５２，２５３は、分離部２５１を貫通し、改質ガスと、後述する掃気ガスとの何れか一方が分離担体を通過するように設けられた第１の流路とすることができる。一方、流路２５４，２５５は、第１の流路に並行して分離部２５１を貫通し、改質ガスおよび掃気ガスの何れか一方であって、第１の流路を通過するガスとは異なるガスが分離担体を通過するように設けられた第２の流路とすることができる。
【００４９】
また、分離部回転制御部２５６は、分離部２５１を回転させる駆動部（図示せず）と、一酸化炭素が分離部２５１に滞留する時間内に、流路２５２，２５３を通過するガスと、流路２５４，２５５を通過するガスとが入れ替わるように駆動部を制御する制御部（図示せず）とを有する。
【００５０】
図３の矢印Ａを改質ガスが流れる方向とすると、流路２５２は図１の流路９に、流路２５３は図１の流路１０にそれぞれ接続することができる。一方、矢印Ｂを掃気ガスが流れる方向とすると、流路２５４は図１の流路１１に、流路２５５は図１の流路１２にそれぞれ接続することができる。尚、掃気ガスは、分離装置２５内に滞留する一酸化炭素を掃気するガスであって、一酸化炭素を含まないガスである。例えば、窒素ガスなどが掃気ガスとして用いられる。
【００５１】
分離担体は、一酸化炭素に対して強い物理的または化学的親和性を有する基が表面に配された構造を有する。分離部２５１には、例えば、分離担体としてのポルフィリン系化合物（例えば、ヘモグロビンおよびヘモシアニンなどの高分子化合物）を担持した粒子を、セラミックまたは金属メッシュなどの表面に設けたフィルタなどを用いることができる。
【００５２】
流路２５２から分離装置２５に改質ガスを通すと、一酸化炭素に対する分離担体の強い親和性によって、一酸化炭素と他の成分との間で分離装置５内を移動する速度に差が生じる。すなわち、一酸化炭素は分離装置２５内をゆっくりと移動するのに対して、他の成分はすばやく移動するので、改質ガスの流入開始から所定時間までは、一酸化炭素以外の成分を含むガスが分離装置２５から排出されることになる。これにより、圧力や温度を変えることなしに、改質ガス中の一酸化炭素を分離することが可能となる。
【００５３】
改質ガスを導入する時間は、一酸化炭素が分離部２５１に滞留する時間を超えないようにする。すなわち、改質ガスの導入時間が一酸化炭素の滞留時間を超えると、一酸化炭素が分離装置２５から排出されてしてしまうので、この値を超えないように改質ガスの流量および流速を設定する。
【００５４】
次いで、分離装置２５から一酸化炭素が排出される前に、分離装置２５内に滞留する一酸化炭素を掃気する処理を行う。ここで、本実施の形態では、分離部回転制御部２５６によって、分離部２５１が所定の速度で矢印Ｃの方向に回転している。このため、所定時間を経過した後は、図３の流路２５２，２５３と流路２５４，２５５の上下の位置が逆転して、流路２５３から掃気ガスが分離部２５１に進入するようになる。進入した掃気ガスは、分離部２５１内に滞留した一酸化炭素とともに、流路２５３から排出される。さらに所定時間が経過すると、再び流路２５２，２５３と流路２５４，２５５の上下の位置が逆転して、流路２５２から改質ガスが分離部２５１に進入する。
【００５５】
一方、流路２５２，２５３に改質ガスが流れている間、流路２５４，２５５には掃気ガスが流れている。そして、分離部２５１が回転して、流路２５２，２５３に掃気ガスが流れるようになると、流路２５４，２５５には改質ガスが流れるようになる。このように、本実施の形態の分離装置によれば、改質ガスから一酸化炭素を分離する工程と、分離装置内に滞留した一酸化炭素を排出する工程とを並行して行うことができる。また、図３に示すように、改質ガスが流れる方向と掃気ガスが流れる方向とを逆にすることによって、燃料電池のアノードに向かって一酸化炭素が流出するおそれを小さくして、分離装置２５から効果的に一酸化炭素を除去することができる。
【００５６】
掃気ガスの流量および流速は、分離部２５１から一酸化炭素を十分に掃気できる値に設定する。また、図３で、分離部２５１は、矢印Ｃとは反対方向に回転してもよい。さらに、分離部２５１の回転速度は、改質ガスの流量および流速、分離担体の種類、並びに、掃気ガスの流量および流速などを総合的に考慮して適宜設定することが好ましい。より詳しくは、分離担体に一酸化炭素が吸着固定される前に、分離装置２５内に掃気ガスが通じるように回転速度を調整する。このようにすることによって、高温の掃気ガスを用いなくとも分離装置２５から一酸化炭素を排出することが可能となる。
【００５７】
分離装置２５から排出された水素リッチなガスは、燃料電池のアノードに送られる。そして、アノードでの電気化学反応によって所定量の水素が消費された後、残りのガスはアノードオフガスとして排出される。
【００５８】
一方、燃料電池のカソードには、コンプレッサで加圧された空気が供給される。そして、燃料電池内での電気化学反応によって、空気中から所定量の酸素が消費された後、残りのガスはカソードオフガスとして排出される。
【００５９】
本実施の形態によれば、改質ガスを分離装置に通すことによって、燃料電池のアノードに供給するガス中の一酸化炭素濃度を最小限に低くすることが可能となる。したがって、燃料電池内の触媒の性能が一酸化炭素によって低下するのを防ぐことができる。
【００６０】
また、本実施の形態の分離装置によれば、加圧や加熱をせずに一酸化炭素の分離除去が可能であるので、燃料電池システムに大きな駆動動力を設ける必要がなく、比較的簡単な構成の燃料電池システムとすることができる。
【００６１】
また、本実施の形態の分離装置によれば、改質ガスから一酸化炭素を分離する工程と、分離装置内に滞留した一酸化炭素を排出する工程とを並行して行うことができる。すなわち、分離装置から一酸化炭素を排出する間、アノードへのガス供給を停止する必要がないので、実施の形態１に比較して効率よく燃料電池を運転することが可能となる。
【００６２】
さらに、本実施の形態の分離装置では、分離部を回転させることによって、改質ガス中の一酸化炭素の分離と、分離装置内に滞留した一酸化炭素の排出とを行う。すなわち、実施の形態１よりさらに簡単な機構で一酸化炭素の分離除去を行うことができる。
【００６３】
尚、図３の例では、改質ガスが流出入する経路と、掃気ガスが流出入する経路とはそれぞれ１つずつ設けられている。しかし、本発明はこれに限られるものではなく、各経路がそれぞれ２つ以上設けられていてもよい。例えば、分離装置内での一酸化炭素の滞留時間が短い場合には、経路の数を多く設けることによって、一酸化炭素の分離と掃気を頻繁に繰り返すことが好ましい。
【００６４】
実施の形態３．
図４は、本実施の形態における燃料電池システムの構成図の一例である。尚、この燃料電池システムは本発明の第２の燃料電池システムに対応し、車載用および据え置き型などの種々の用途に適用可能である。
【００６５】
図４に示すように、燃料電池システム３１は、水素と酸素を供給されて起電力を生じる燃料電池３２と、燃料電池３２に圧縮空気を供給する空気供給装置としての第１のコンプレッサ３３と、空気中の酸素を分離して燃料電池３２から排出されたカソードオフガスに酸素を供給する酸素分離供給装置３４と、カソードオフガスを酸素分離供給装置３４を経てカソードに循環させる循環装置としての第２のコンプレッサ３５と、燃料電池３２に供給する水素を高圧状態で貯蔵する水素貯蔵タンク３６と、水素貯蔵タンク３６から燃料電池３２に供給される水素の圧力を調整する調圧弁３７とを有する。
【００６６】
燃料電池３２は、水素と酸素の電気化学反応によって発電するセル（図示せず）が積層された構造を有している。ここで、各セルは、電解質膜を挟んでアノードとカソードが配置された構造となっている。
【００６７】
燃料電池システム３１では、第１のコンプレッサ３３でカソードオフガスを循環することによって、燃料電池３２のカソードに酸素を供給する。また、カソードオフガスには、燃料電池３２での電気化学反応によって生成した水が含まれるので、燃料電池２内の電解質膜に水分を供給することもできる。尚、図４に示すように、第１のコンプレッサ３３の上流側に気液分離器４２を設けて、カソードオフガスに含まれる余剰の水分を除去してもよい。
【００６８】
単にカソードオフガスを循環させただけでは、カソードオフガス中の窒素濃度が増大することによって次第に酸素濃度は低下する。酸素濃度の低下は、燃料電池の発電効率の低下を招く。そこで、本実施の形態においては、カソードオフガスを酸素分離供給装置３４に通すことによって、カソードオフガス中の酸素濃度の低下を防いでいる。以下、分離装置によってカソードオフガスに酸素を供給する方法について説明する。
【００６９】
酸素分離供給装置は、酸素に対する親和性の高い分離担体を有し、空気中の酸素と他の成分との移動速度の差を利用して空気から酸素を分離するとともに、この酸素をカソードオフガスに供給する装置である。図５に、酸素分離供給装置の構成図を示す。図の酸素分離供給装置３４は、分離担体を保持する分離部３４１と、分離部３４１に接続する流路３４２，３４３と、流路３４２，３４３に設けられたバルブ３４４，３４５と、所定のタイミングでバルブ３４４，３４５の開閉を制御するバルブ開閉制御部３４６とを有する。
【００７０】
バルブ３４４，３４５は、分離部３４１を通過するガスを、空気およびカソードオフガスの何れか一方に切り替えるガス切替部である。一方、バルブ開閉制御部３４６は、酸素が分離部３４１に滞留する時間内に、分離部３４１を通過するガスが、空気からカソードオフガスへ切り替わるようにガス切替部を制御する。
【００７１】
分離担体は、酸素に対して強い物理的または化学的親和性を有する基が表面に配された構造を有する。分離部３４１には、例えば、分離担体としてのポルフィリン系化合物（例えば、ヘムなどの高分子化合物）を担持した粒子を、セラミックまたは金属メッシュなどの表面に設けたフィルタなどを用いることができる。
【００７２】
流路４０から酸素分離供給装置３４に空気を送ると、酸素に対する分離担体の強い親和性によって、酸素と他の成分との間で酸素分離供給装置３４内を移動する速度に差が生じる。すなわち、酸素は酸素分離供給装置３４内をゆっくりと移動するのに対して、他の成分はすばやく移動するので、改質ガスの流入開始から所定時間までは、酸素以外の成分を含むガスが分離装置５から排出されることになる。これにより、圧力や温度を変えることなしに、空気中の酸素を分離することが可能となる。
【００７３】
空気を導入する時間は、酸素が分離部３４１に滞留する時間を超えないようにする。すなわち、空気の導入時間が酸素の滞留時間を超えると、酸素が酸素分離供給装置３４から排出されてしてしまうので、この値を超えないように空気の流量および流速を設定する。
【００７４】
次いで、酸素分離供給装置３４から酸素が排出される前に、酸素分離供給装置３４内に滞留する酸素をカソードオフガスに供給する。ここで、カソードオフガスは、酸素分離供給装置３４内から酸素を掃気するガスと見ることもできる。
【００７５】
具体的には、バルブ開閉制御部３４６によってバルブ３４４，３４５の開閉を操作し、酸素分離供給装置３４を通過するガスを空気からカソードオフガスに切り替える。カソードオフガスの流量および流速は、酸素分離供給装置３４内から酸素を十分に掃気できる値に設定することが好ましい。このようにすることによって、温度や圧力を変えることなしに酸素分離供給装置３４から酸素を排出して、カソードオフガスに酸素を供給することができる。
【００７６】
図５では、バルブ３４４，３４５を操作することによって、酸素分離供給装置３４内を通るガスの流れが逆転するようにしている。より詳しくは、流路３８より酸素分離供給装置３４に流入した掃気ガスは、流路３４２を経て分離部３４１に進入する。そして、分離部３４１内に滞留する酸素とともに、流路３４３から流路３９を経て燃料電池３２に供給される。このように、空気の流れる方向と、カソードオフガスの流れる方向とが互いに逆向きとなるようにすることによって、分離部３４１に滞留する酸素をカソードオフガスと一緒に効率よく排出することができる。
【００７７】
酸素分離供給装置３４から酸素を掃気した後は、再びバルブ開閉制御部３４６を操作することによって、酸素分離供給装置３４を通るガスをカソードオフガスから空気に切り替える。尚、バルブ開閉制御部３４６を操作するタイミングは、空気の流量および流速、分離担体の種類、並びに、カソードオフガスの流量および流速などに応じて適宜設定することが好ましい。より詳しくは、分離担体に酸素が吸着固定される前にバルブ開閉制御部３４６を操作し、カソードオフガスを酸素分離供給装置３４内に通じて酸素を掃気する。このようにすることによって、圧力や温度を変えることなしにカソードオフガスに酸素を供給することが可能となる。
【００７８】
一方、燃料電池２のアノードには、水素貯蔵タンク３６に貯蔵された水素が、調圧弁３７によって調圧された後に供給される。そして、アノードでの電気化学反応によって所定量の水素が消費された後、残りのガス（アノードオフガス）は、排出バルブ４３を開くことにより、流路４４から希釈器４５を経由して排出される。
【００７９】
本実施の形態によれば、カソードオフガスを酸素分離供給装置に通すことによって、燃料電池のカソードに供給するガス中の酸素濃度の低下を防ぐことが可能となる。
【００８０】
また、本実施の形態によれば、カソードオフガスを循環することによって、加湿器なしに燃料電池内の電解質膜に水分を供給することができる。
【００８１】
さらに、本実施の形態の酸素分離供給装置によれば、加圧や加熱をせずに、空気中の酸素を分離してカソードオフガスに供給することが可能であるので、燃料電池システムに大きな駆動動力を設ける必要がなく、比較的簡単な構成の燃料電池システムとすることができる。
【００８２】
実施の形態４．
本実施の形態は、カソードオフガスを酸素分離供給装置に通した後に燃料電池のカソードに供給する点で実施の形態３と共通する。しかし、本実施の形態は、実施の形態３とは異なる酸素分離供給装置を用いる点に特徴がある。
【００８３】
図６は、本実施の形態における酸素分離供給装置の構成図である。尚、本実施の形態における燃料電池システムの構成図は、図４の酸素分離供給装置３４を図６の酸素分離供給装置５４に置き換えたものに対応する。
【００８４】
図６に示すように、酸素分離供給装置５４は、分離担体を保持し回転可能な分離部５４１と、分離部５４１に接続する流路５４２，５４３，５４４，５４５と、分離部５４１を回転させるとともに、その回転を制御する分離部回転制御部５４６とを有する。
【００８５】
流路５４２，５４３は、分離部５４１を貫通し、空気およびカソードオフガスの何れか一方が分離担体を通過するように設けられた第１の流路とすることができる。一方、流路５４４，５４５は、第１の流路に並行して分離部５４１を貫通し、空気およびカソードオフガスの何れか一方であって、第１の流路を通過するガスとは異なるガスが分離担体を通過するように設けられた第２の流路とすることができる。
【００８６】
また、分離部回転制御部５４６は、分離部５４１を回転させる駆動部（図示せず）と、酸素が分離部５４１に滞留する時間内に、流路５４２，５４３を通過するガスと、流路５４４，５４５を通過するガスとが入れ替わるように駆動部を制御する制御部（図示せず）とを有する。
【００８７】
図３の矢印Ｄをカソードオフガスが流れる方向とすると、流路５４２は図４の流路３８に、流路５４３は図４の流路３９にそれぞれ接続することができる。一方、矢印Ｅを空気が流れる方向とすると、流路５４４は図４の流路４０に、流路５４５は図４の流路４１にそれぞれ接続することができる。
【００８８】
分離担体は、酸素に対して強い物理的または化学的親和性を有する基が表面に配された構造を有する。分離部５４１には、例えば、分離担体としてのポルフィリン系化合物（例えば、ヘムなどの高分子化合物）を担持した粒子を、セラミックまたは金属メッシュなどの表面に設けたフィルタなどを用いることができる。
【００８９】
流路５４４から酸素分離供給装置５４に空気を通すと、酸素に対する分離担体の強い親和性によって、酸素と他の成分との間で酸素分離供給装置５４内を移動する速度に差が生じる。すなわち、酸素は酸素分離供給装置５４内をゆっくりと移動するのに対して、他の成分はすばやく移動するので、空気の流入開始から所定時間までは、酸素以外の成分を含むガスが酸素分離供給装置５４から排出されることになる。これにより、圧力や温度を変えることなしに、空気中の酸素を分離することが可能となる。
【００９０】
空気を導入する時間は、酸素が酸素分離供給装置５４内に滞留する時間を超えないようにする。すなわち、空気の導入時間が酸素の滞留時間を超えると、酸素が酸素分離供給装置５４から排出されてしてしまうので、この値を超えないように空気の流量および流速を設定する。
【００９１】
次いで、酸素分離供給装置５４から酸素が排出される前に、酸素分離供給装置５４内に滞留する酸素をカソードオフガスに供給する。ここで、カソードオフガスは、酸素分離供給装置５４内から酸素を掃気するガスと見ることもできる。
【００９２】
本実施の形態では、分離部回転制御部５４６によって、分離部５４１が所定の速度で矢印Ｆの方向に回転している。このため、所定時間を経過した後は、図６の流路５４２，５４３と流路５４４，５４５の左右の位置が逆転して、流路５４５からカソードオフガスが分離部５４１に進入するようになる。進入したカソードオフガスは、分離部５４１内に滞留する酸素とともに、流路５４４から排出される。さらに所定時間が経過すると、再び流路５４２，５４３と流路５４４，５４５の左右の位置が逆転して、流路５４４から空気が分離部５４１に進入する。
【００９３】
一方、流路５４４，５４５に空気が流れている間、流路５４２，５４３にはカソードオフガスが流れている。そして、分離部５４１が回転して、流路５４４，５４５にカソードオフガスが流れるようになると、流路５４２，５４３には空気が流れるようになる。このように、本実施の形態の酸素分離供給装置によれば、空気中の酸素を分離する工程と、酸素分離供給装置内に滞留する酸素をカソードオフガスに供給する工程とを並行して行うことができる。
【００９４】
図６では、空気が流れる方向とカソードオフガスが流れる方向とを逆にしている。このようにすることによって、分離部５４１に滞留する酸素をカソードオフガスと一緒に効率よく排出することができる。
【００９５】
本実施の形態において、カソードオフガスの流量および流速は、酸素分離供給装置５４内に滞留する酸素を十分に掃気できる値に設定する。また、図６で、分離部５４１は、矢印Ｆとは反対方向に回転してもよい。さらに、分離部５４１の回転速度は、空気の流量および流速、分離担体の種類、並びに、カソードオフガスの流量および流速などを総合的に考慮して適宜設定することが好ましい。より詳しくは、分離担体に酸素が吸着固定される前に、酸素分離供給装置５４内にカソードオフガスが通じるように回転速度を調整する。このようにすることによって、圧力や温度を変えることなしに、酸素分離供給装置５４内に滞留する酸素をカソードオフガスに供給することが可能となる。
【００９６】
酸素分離供給装置５４内で酸素を供給されたカソードオフガスは、燃料電池のカソードに送られる。そして、カソードでの電気化学反応によって所定量の酸素が消費された後、残りのガスは、再び酸素分離供給装置５４に送られて酸素の供給を受ける。以上の工程は、コンプレッサによってカソードオフガスが燃料電池システム内を循環するようにすることによって繰り返して行うことができる。これにより、燃料電池のカソードに、常に所定量の酸素を供給することが可能となる。
【００９７】
一方、燃料電池のアノードには水素が供給される。そして、アノードでの電気化学反応によって所定量の水素が消費された後、残りのガスは、アノードオフガスとして排出される。
【００９８】
本実施の形態によれば、カソードオフガスを酸素分離供給装置に通すことによって、燃料電池のカソードに供給するガス中の酸素濃度の低下を防ぐことが可能となる。
【００９９】
また、本実施の形態によれば、カソードオフガスを循環することによって、加湿器なしに燃料電池内の電解質膜に水分を供給することができる。
【０１００】
また、本実施の形態の酸素分離供給装置によれば、加圧や加熱をせずに、空気中からの酸素の分離と、分離した酸素のカソードオフガスへの供給とを行うことができる。したがって、燃料電池システムに大きな駆動動力を設ける必要がなく、比較的簡単な構成の燃料電池システムとすることができる。
【０１０１】
また、本実施の形態の酸素分離供給装置によれば、空気中の酸素を分離する工程と、分離装置内に滞留する酸素をカソードオフガスに供給する工程とを並行して行うことができる。すなわち、空気中の酸素を分離する間、カソードへのガス供給を停止する必要がないので、実施の形態３に比較して効率よく燃料電池を運転することが可能となる。
【０１０２】
さらに、本実施の形態の酸素分離供給装置では、分離部を回転させることによって、空気中の酸素の分離と、分離装置内に滞留する酸素のカソードオフガスへの供給とを行う。すなわち、実施の形態３よりさらに簡単な機構で酸素の分離と供給を行うことができる。
【０１０３】
尚、図６の例では、空気が流出入する経路と、カソードオフガスが流出入する経路とはそれぞれ１つずつ設けられている。しかし、本発明はこれに限られるものではなく、各経路がそれぞれ２つ以上設けられていてもよい。例えば、酸素分離供給装置内での酸素の滞留時間が短い場合には、経路の数を多く設けることによって、酸素の分離と掃気を頻繁に繰り返すことが好ましい。
【０１０４】
尚、本発明は上記各実施の形態に限定されるものではなく、本発明の趣旨を逸脱しない範囲内において、種々変形して実施することができる。
【０１０５】
例えば、実施の形態１および２においては、改質ガス中の一酸化炭素を分離除去する例について述べた。しかし、混合ガス中の特定成分に対して、他の成分よりも強い物理的または化学的親和性を有する基を表面に配した分離担体を用いることによって、一酸化炭素以外の他のガス成分を分離除去することが可能となる。例えば、分離担体としてゼオライトを用いた場合には、混合ガス中の水分を分離除去することができる。また、分離担体として、フェライト架橋粘土化合物、多孔性無機有機複合体または部分炭化炭素材料などを用いた場合には、混合ガス中の酸素を分離除去することができる。尚、これらの場合において、混合ガスは改質ガス以外のガスであってもよい。
【０１０６】
また、実施の形態３および４においては、空気中の酸素を分離する例について述べた。しかし、上記と同様に、混合ガス中の特定成分に対して、他の成分よりも強い物理的または化学的親和性を有する基を表面に配した分離担体を用いることによって、酸素以外の他のガス成分を分離することが可能である。また、混合ガスは空気以外のガスとしてもよい。
【０１０７】
さらに、実施の形態１〜４で述べた分離装置または酸素分離供給装置は、他の用途に適用することも可能である。すなわち、混合ガス中の特定成分を分離除去する場合や、混合ガス中の酸素を分離して他のガスに供給する場合であれば、燃料電池システム内での他の用途や、燃料電池システム以外の他の用途にも適用することができる。さらに、酸素以外の他の成分を分離して他のガスに供給する分離供給装置を、燃料電池システム内での他の用途や、燃料電池システム以外の他の用途に適用することもできる。
【０１０８】
上記の何れの場合においても、分離担体との親和性の違いに基づく移動速度の差を利用して特定成分を分離し、また、特定成分が分離装置から排出される前に掃気するので、圧力や温度を変更することなしに、特定成分の分離および排出（または、他のガスへの供給）が可能となる。
【図面の簡単な説明】
【０１０９】
【図１】実施の形態１における燃料電池システムの構成図の一例である。
【図２】図１における分離装置の構成図である。
【図３】実施の形態２における分離装置の構成図である。
【図４】実施の形態３における燃料電池システムの構成図の一例である。
【図５】図４における分離装置の構成図である。
【図６】実施の形態４における分離装置の構成図である。
【符号の説明】
【０１１０】
１，３１  燃料電池システム
２，３２  燃料電池
３  炭化水素系化合物貯蔵タンク
４  改質器
５，２５  分離装置
６  掃気ガス貯蔵タンク
７  コンプレッサ
８  第２の調圧弁
１６  加湿器
１７  第１の調圧弁
３４，５４  酸素分離供給装置
５１，２５１，３４１，５４１  分離部
５４，５５，３４４，３４５  バルブ
５６，３４６  バルブ開閉制御手段
２５６，５４６  分離部回転制御部
３３  第１のコンプレッサ
３５  第２のコンプレッサ
３６  水素貯蔵タンク
３７  調圧弁
【図１】
2007042371.tif 000003
【図２】
2007042371.tif 000004
【図３】
2007042371.tif 000005
【図４】
2007042371.tif 000006
【図５】
2007042371.tif 000007
【図６】
2007042371.tif 000008